(57)【特許請求の範囲】
【請求項１】
遊技者が遊技により獲得した遊技価値、或いは貨幣を取込み、取込んだ遊技価値、或いは貨幣を遊技者の所有価値として特定する取込処理を行う取込手段と、
前記所有価値を遊技に使用可能な状態へと変換する遊技変換処理を行う遊技変換手段と、
前記所有価値を特定可能な記録媒体を発行する発行処理を行う発行手段と、
前記記録媒体を受付け、当該受付けた記録媒体により特定される所有価値を、対応する遊技台を遊技する遊技者の所有価値とする受付処理を行う受付手段と、
受付処理により受付けられた記録媒体を回収する回収処理を行う回収手段と、を備えた台間装置を１の遊技台に対応して設けた遊技場用システムであって、
前記記録媒体が前記発行処理により盗難された場合に、当該記録媒体のＩＤを指定することによって、当該記録媒体により特定される前記所有価値の使用を抑制する盗難登録処理を行うための盗難登録操作を受付け、当該盗難登録操作に応じて盗難登録処理を行う盗難登録手段と、
前記所有価値と、その対応する前記記録媒体とを特定可能に管理する管理手段と、
前記盗難登録操作の受付けに応じて、その盗難登録処理対象となる記録媒体に対応した所有価値が、前記所有価値に対して予め設定される所有価値が無くなったことを示す消尽基準値に達しているかを判定し、その判定結果により当該所有価値が無くなったことを特定する判定処理を行う判定手段と、前記判定処理の判定結果に応じて前記盗難登録処理を抑制する抑制手段と、を備えた管理装置と、
前記台間装置と、を含んで構成されることを特徴とする遊技場用システム。
【請求項２】
遊技者が遊技により獲得した遊技価値、或いは貨幣を取込み、取込んだ遊技価値、或いは貨幣を遊技者の所有価値として特定する取込処理を行う取込手段と、
前記所有価値を遊技に使用可能な状態へと変換する遊技変換処理を行う遊技変換手段と、
前記所有価値を特定可能な記録媒体を発行する発行処理を行う発行手段と、
前記記録媒体を受付け、当該受付けた記録媒体により特定される所有価値を、対応する遊技台を遊技する遊技者の所有価値とする受付処理を行う受付手段と、
受付処理により受付けられた記録媒体を回収する回収処理を行う回収手段と、を１の遊技台に対応して設けた遊技場用システムであって、
前記記録媒体が前記発行処理により盗難された場合に、当該記録媒体により特定される前記所有価値の使用を抑制する盗難登録処理を行うための盗難登録操作を遊技台側にて受付け、当該盗難登録操作に応じて当該盗難登録操作を受付けた遊技台に対応する前記発行手段にて最新の前記発行処理の対象となった前記記録媒体に対して盗難登録処理を行う盗難登録手段と、
前記所有価値と、その対応する前記記録媒体とを特定可能に管理する管理手段と、
前記盗難登録操作の受付けに応じて、その盗難登録処理対象となる記録媒体に対応した所有価値が、前記所有価値に対して予め設定される所有価値が無くなったことを示す消尽基準値に達しているかを判定し、その判定結果により当該所有価値が無くなったことを特定する判定処理を行う判定手段と、
前記判定処理の判定結果に応じて前記盗難登録処理を抑制する抑制手段と、
を備えたことを特徴とする遊技場用システム。
【請求項３】
前記抑制手段は、警告表示メッセージを表示することにより前記盗難登録処理を抑制することを特徴とする請求項１又は２に記載の遊技場用システム。
【発明の詳細な説明】
【技術分野】
【０００１】
本発明は、遊技者の所有価値を記録した記録媒体を用いて遊技が可能な遊技台を備える遊技場を管理する遊技場用システムに関する。
【背景技術】
【０００２】
遊技場において遊技台に対応して設けられる台間装置には、遊技者が獲得した遊技媒体である獲得媒体を計数する計数機能が備えられていると共に、獲得媒体を特定可能な記録媒体を発行する発行機能も備えているものがある。
この発行機能では、遊技者の利便性を考慮し簡単な操作にて記録媒体を発行可能としているが、遊技者が遊技台を離れる際に記録媒体を発行し忘れ、その離れている間に記録媒体の盗難に遭うという問題が後を絶たない。このような問題の対策として、例えば特許文献１のように台間装置や管理装置等を操作し、盗難された記録媒体を使用不能とすることで対応しているが、特許文献１の場合、記録媒体に予め記録されている識別情報のみに基づいて使用不能としている。
【先行技術文献】
【特許文献】
【０００３】
【特許文献１】特開２００９−２７９２４８号公報
【発明の概要】
【発明が解決しようとする課題】
【０００４】
しかしながら、記録媒体を盗んだ犯人が、記録媒体を盗んだ台間装置とは異なる台間装置にて獲得媒体を貯玉する等して記録媒体と獲得媒体との対応付けを解消することで記録媒体が回収された場合、盗難に遭った遊技者が盗難に気付き、その回収済みの記録媒体を使用不能とする等の盗難登録を行うと、その後に回収された記録媒体に獲得媒体を記録した善意の第三者の遊技者（即ち、盗難された記録媒体を回収した台間装置に対応する遊技台にてたまたま遊技を行い、自身が獲得した獲得媒体を記録するために正当な手順で記録媒体を発行した遊技者）が、その記録媒体が使用不能とされていることから犯人であるとしてトラブルになるケースが発生し得る。
【０００５】
この場合、犯人を特定できないばかりか、善意の第三者の遊技者を誤って犯人として扱うことになり、犯人扱いされた遊技者の遊技場への不信感が高まり来場しなくなる虞がある等、遊技場にとって大きな損害になり得る。
本発明は上記事情に鑑みてなされたもので、その目的は、抑制対象となる記録媒体を使用不能とする際に発生し得る無用なトラブルを防止出来る遊技場用システムを提供することにある。
【課題を解決するための手段】
【０００６】
請求項１に記載した発明によれば、盗難登録処理を行う際に、記録媒体のＩＤを指定することによって盗難登録操作を受け付け、盗難された記録媒体に対応した所有価値が予め設定されている消尽基準値に達して当該所有価値が無くなっているかを判定し、その判定結果に応じて盗難登録処理を抑制するので、例えば所有価値が無くなった場合には当該記録媒体に対する盗難登録処理を抑制することが可能となり、上記した善意の第三者の遊技者が犯人扱いされる等、抑制対象となる記録媒体を使用不能とする際に発生し得る無用なトラブルを防止出来る。
【０００７】
請求項２に記載した発明によれば、盗難登録処理を行う際に、盗難登録操作を台間装置側にて受け付け、盗難された記録媒体に対応した所有価値が予め設定されている消尽基準値に達して当該所有価値が無くなっているかを判定し、その判定結果に応じて盗難登録処理を抑制するので、例えば所有価値が無くなった場合には当該記録媒体に対する盗難登録処理を抑制することが可能となり、上記した善意の第三者の遊技者が犯人扱いされる等、抑制対象となる記録媒体を使用不能とする際に発生し得る無用なトラブルを防止出来る。
【図面の簡単な説明】
【０００８】
【図１】本発明の一実施形態における遊技場用システムの全体構成を示す概略図
【図２】各台計数機が記憶する持玉設定を示す図
【図３】各台計数機が管理する遊技装置記憶領域を示す図
【図４】管理装置が管理する管理装置記憶領域を示す図
【図５】管理装置が管理する管理装置記憶領域を示す図
【図６】管理装置が管理する管理装置記憶領域を示す図
【図７】管理装置が管理する管理装置記憶領域を示す図
【図８】管理装置が管理する管理装置記憶領域を示す図
【図９】管理装置が管理する管理装置記憶領域を示す図
【発明を実施するための形態】
【０００９】
以下、本発明の一実施形態による遊技場用システムについて図面を参照して説明する。
図１に示すように、遊技場用システム１００は、遊技台１に対応して貸出機２及び台間装置としての各台計数機３が設置されており、２台の遊技台１、貸出機２及び各台計数機３に対応して中継装置４が接続されている。これら遊技台１、貸出機２及び各台計数機３（「遊技台側」に相当する）からは、後述する各種の遊技信号が出力され、中継装置４を介して管理装置５に送られる。管理装置５は、例えば遊技場内の管理室等に設置されている。管理装置５は、出力手段としてのモニタ６及びキーボード７を備えており、ＬＡＮ８を介して遊技台１側の装置との間で、互いに情報及び信号を送受信可能に接続されている。遊技場内には数百台の遊技台１が設置され、管理装置５の管理対象となっている。また、遊技場内には、図示しないＰＯＳ端末や、スロットマシン等も設けられている。
【００１０】
遊技台１は、発射装置を構成する操作ハンドル９に対する操作により盤面１０に発射された遊技価値である玉（遊技価値に相当する）が始動口１１又は電動チューリップ式の始動口１２に入賞（始動入賞）するのに応じて大当たり抽選を行い、抽選結果を液晶表示部１３（所謂役物）において行う図柄変動にて報知し、その変動結果に応じて大当たりを発生させる。大当たりが発生すると、例えば１５ラウンド（１５Ｒ）分だけ大入賞口１４を開放する。入賞により払出された玉は上部受皿１５にて受けられ、この上部受皿１５が満杯状態となって溢れた玉は下部受皿１６で受けられる。１Ｒの上限入賞数は１０個で、上限開放時間は３０秒であり、上限入賞数又は上限開放時間の何れかが満たされた場合に１Ｒを終了する。
【００１１】
貸出機２は、図示しないＣＰＵからなる制御部、ＲＯＭ及びＲＡＭ等からなる記憶部、信号を送受信するための入出力インターフェースからなる送受信部等を備えており、以下のような機能を備えている。
１）遊技者が貨幣投入口１７に貨幣（有価価値）が投入された場合、遊技台１に設けられている図示しない貸出釦の操作に応じて、投入された貨幣を対価として玉を貸出す。このとき、玉の貸出しに応じて、所有価値を減少させると共に、売上げを特定可能な売上信号（遊技信号）を出力する。
【００１２】
２）固有のＩＤ（残高券ＩＤ）が記録された残高券を残高券挿入口１８にて受付け可能であり、残高券挿入口１８に挿入された残高券より特定される残高を上限として玉を貸出す。
３）残高券を所定数（５枚程度）ストック可能であり、残高券を受け付けていない状態で貨幣を取込むと、ストックしている残高券に貨幣の有価価値を記録して、その残高券を新たに受付状態にする。
４）残高券を受付けた状態で返却釦１９が操作されると、受付け中の残高券に残りの所有価値を記録して排出する。
５）受付処理により受付けられた残高券により特定される残高が無くなった場合には、その残高券を回収（ストック）する。
【００１３】
各台計数機３（取込手段、遊技変換手段、発行手段、受付手段、回収手段、会員処理手段に相当する）は、状態表示ＬＥＤ２０、タッチパネル式の情報表示部２１、払出ノズル２２、払戻釦２３、発行釦２４、カード挿入口２５及び受皿部２６等を備えている。各台計数機３は、図示しないＣＰＵからなる制御部、ＲＯＭ及びＲＡＭ等からなる記憶部、信号を送受信するための入出力インターフェースからなる送受信部等を備えており、以下のような機能を備えている。
【００１４】
１）遊技台１の下部受皿１６から落下した玉を受皿部２６で受けて図示しない計数部を通過させることにより計数し、計数した玉（遊技者が遊技により獲得した遊技価値に相当する）を、遊技者の持玉（所有価値に相当する）として特定する取込処理を実行する。そして、特定した所有価値を上限として貸出釦の操作に応じて玉を返却する再プレイ処理（遊技変換処理に相当する）を実行する。再プレイ処理では、玉は払出ノズル２２から遊技台１に返却され、返却された玉数に応じて持玉が減少される。尚、カード挿入口２５の奥に持玉券２７（記録媒体に相当する）を所定数（１０枚程度）まで予めストックとしており、持玉券２７を受付けていない状態で計数処理を行った場合には、ストックしている持玉券２７を内部的に受付状態とする。
【００１５】
２）図２に示す持玉設定を記憶しており、後述する管理ＩＤが未発行の状態で、計数した持玉が図２に示す端玉設定値（３０玉）以上となった場合（予め設定されるＩＤ発行条件が成立した場合）には、管理ＩＤを発行する。
３）計数した持玉の内、再プレイ処理にて返却した玉数を除いた持玉を対象として、持玉を特定可能な情報を記録した持玉券２７を発行する発行処理を実行する。この場合、全ての持玉を対象とした全発行処理と、持玉の一部を指定して発行する分割発行処理とを実行可能となっている。全発行処理時には、持玉券２７は、上記した２）で発行された管理ＩＤに対応付けて管理される。一方、分割発行処理時には、上記した２）で発行された管理ＩＤに対応付けられた新たな管理ＩＤが発行され、分割発行された持玉券２７は、新たな管理ＩＤに対応付けて管理される。つまり、分割発行処理は、予め設定されるＩＤ発行条件に相当する。
【００１６】
４）発行処理にて発行された持玉券２７をカード挿入口２５にて受付けた場合には、その持玉券２７に記録されている情報にて特定可能な持玉を、対応する遊技台１を遊技する遊技者の所有価値とする（計数した持玉及び発行対象となる持玉に加算する）受付処理を実行する。このとき、管理ＩＤが未発行の状態で持玉券２７を受付けた場合には、受付けた持玉券２７に対応する管理ＩＤを対応付ける。一方、管理ＩＤが発行済みの状態で持玉券２７を受付けた場合には、発行済みの管理ＩＤを対応付ける。
５）受付処理により受付けられた持玉券２７に対応した持玉（所有価値）が、当該持玉に対して予め設定される持玉が無くなったことを示す初期化持玉値（図２参照。消尽基準値に相当する）に達した場合、即ち、本実施形態の場合では持玉が無くなった場合には、その持玉券２７を回収（ストック）する回収処理を実行する。
【００１７】
６）図示しない会員カード（会員識別情報に相当する）を受付け可能であり、会員カードを受付けることにより再プレイ処理及び発行処理の対象となる持玉を会員カードに対応した会員の貯玉口座へと移行する（所有価値を会員識別情報に対応付ける）処理である貯玉処理（会員処理に相当する）を実行する。この場合、貯玉口座に移行することにより持玉が初期化持玉値となれば、管理ＩＤの初期化条件が成立したとして、管理ＩＤと持玉券２７との対応付けを解消する。尚、上記した再プレイ処理により持玉が初期化持玉値となった場合も同様である。
【００１８】
また、各台計数機３は、情報表示部２１に貸出或いは所謂貯玉関連情報を表示可能であり、会員カードを受付ける等の所定条件が成立すれば、遊技台１に関する各種の遊技情報等を表示する。また、会員カードを受付けていれば、貯玉を対価とした再プレイによる玉の返却も可能である。
また各台計数機３は、図３に示す遊技装置記憶領域に、以下の情報を記憶している。
・遊技機ＩＤ：端末ＩＤ（各遊技台１に割り振られている所謂台番）。
・管理ＩＤ：各台計数機３にて発行される持玉券２７に対応したＩＤ。上３桁が端末ＩＤ、下３桁が発行ＩＤ（第２の識別情報に相当する）。
【００１９】
・共有管理ＩＤ：持玉の一部を指定して発行する分割発行時に、その持玉券２７に対して発行する管理ＩＤ（第２の識別情報に相当する）。
・持玉券ＩＤ：現在受付けている、或いは発行対象となっている持玉券ＩＤ（第１の識別情報）。各持玉券２７を識別するための固有のＩＤで、予め持玉券２７に記録されている。
・受付持玉：管理ＩＤが発行されている状態で受付けた持玉券２７に記録されている持玉合算値。
・計数玉：計数した玉数の合計値。
・払戻玉：持玉を対価として払出（再プレイ）した玉数の合計値。即ち、払戻した（計数した持玉の内、遊技者に返却した）持玉数。
・分割玉：分割発行処理により発行した持玉数。
・持玉：遊技者の持玉数。持玉＝受付持玉＋計数玉−払戻玉−分割玉にて算出する。即ち、現時点で発行処理が可能な玉数。
【００２０】
各台計数機３は、これらのデータを遊技装置記憶領域に記憶しており、全発行処理時又は遊技終了時（つまり、持玉≦初期化持玉となった時）に遊技装置記憶領域を初期化すると共に、管理ＩＤも初期化（未発行状態）とする。また、これらを特定可能な事象情報を発行処理等の特定の事象が発生した場合に管理装置５に対して送信することで、後述するように管理装置５ではその事象に対応付けて後述する図６に示す管理装置記憶領域に持玉券事象履歴として、その受信したデータを履歴形式で記憶する。この持玉券事象履歴は、端末ＩＤ、管理ＩＤ、持玉券ＩＤ等を指定してデータを処理履歴として抽出可能であり、例えば後述する図４、図５は、管理ＩＤが指定された場合の抽出例である。
これら遊技台１や貸出機２等の遊技台１側の装置からは、周知の遊技信号、例えば遊技に使用された玉数（アウト）を特定可能なアウト信号、遊技者が獲得した玉数（セーフ）を特定可能なセーフ信号、遊技台１の遊技状態を特定可能な状態信号、上記した売上信号などが出力される。
【００２１】
管理装置５（盗難登録手段、管理手段、判定手段、抑制手段、会員管理手段に相当する）は、図示しないＣＰＵ、ＲＯＭ、ＲＡＭ、信号を送受信するための入出力部、及びＨＤＤのような記憶手段等を備えたコンピュータで構成されており、ＲＯＭやＨＤＤ等に記憶されている制御プログラムに従って作動する。この管理装置５は、遊技台１側の装置から送信される遊技信号に基づいて周知のように遊技情報を集計する。管理装置５が集計する遊技情報は、例えば上記したアウト、セーフ、売上金額、及び、差枚数（＝セーフ−アウト）、出率（＝セーフ÷アウト）、大当たり回数、スタート回数（大当たり間のゲーム数）等である。尚、管理装置５は、これらの全ての遊技情報を必ずしも集計していなくても良いし、他の遊技情報を集計していても勿論良い。
【００２２】
次に上記した構成の遊技場用システム１００の作用について説明する。
遊技者は、自身の持玉が盗難された（所有価値が発行処理により盗難された）ことに気がついた場合、遊技場の従業員等に盗難にあった旨を届け出ることで、盗難された持玉券２７の使用を禁止しようとする。このとき、遊技場の従業員（主として管理者）は、遊技者からの届け出があると、その遊技者が遊技していた遊技台１の端末ＩＤ（台番）の処理履歴を調査し、当該遊技台１に対応して設けられている各台計数機３において発行された持玉券２７の持玉券ＩＤを特定する。そして、その持玉券２７は盗難されたものであるとして、その持玉券２７に記録されている持玉（記録媒体により特定される所有価値）の使用を抑制する盗難登録処理を行うための盗難登録操作を行う。このとき、管理装置５は、盗難登録操作を受付けると、盗難登録処理を実行する。これにより、その持玉券ＩＤが記録されている持玉券２７の使用が例えば禁止されると共に、当該持玉券２７を所有している遊技者が盗難の犯人である可能性が推測される。
【００２３】
ところで、盗難された持玉券２７は、善意の第三者の遊技者（即ち、盗難とは無関係の遊技者）に所有されることがあり、善意の第三者の遊技者が犯人扱いされてしまう可能性がある等、持玉券２７の使用を抑制する際にトラブルが発生してしまうことがある。そこで、遊技場用システム１００は、管理装置５が管理する処理履歴に基づいて、上記のようなトラブルの発生を防止する。
ここで、まず、盗難時に想定される状況について、図４、図５の処理履歴を参照しながら説明する。以下に説明する図４及び図５では、盗難時の状況が異なる２つの例が示されている。
【００２４】
図４の処理履歴の場合、図４（Ａ）に示すように、管理ＩＤ＝００２００１の持玉券２７（持玉券ＩＤ＝００３９１）は、まず端末ＩＤ＝００２の遊技台１にて持玉が６０００玉の状態で全発行処理にて発行されている（レコードＮＯ１）。その後、端末ＩＤ＝３６９の遊技台１にて受け付けられ、持玉が１４５００玉になった時点で全発行処理にて発行されている（レコードＮＯ２）。続いて、端末ＩＤ＝２７５の遊技台１にて受け付けられ、持玉が１７０００玉になった時点で全発行処理にて発行されている（レコードＮＯ３）。
【００２５】
その後、その持玉券２７は、端末ＩＤ＝５１４の遊技台１にて受け付けられ、１７０００玉の持玉が共有管理ＩＤ＝１２３４１２３４５（この場合、共有管理ＩＤには貯玉先の口座に対応する会員ＩＤが記録される）の口座に貯玉処理により貯玉され、対応する持玉が０になっている（レコードＮＯ４）。このとき、持玉が０になったことから、持玉券２７は、端末ＩＤ＝５１４の遊技台１に対応した各台計数機３にて回収される。その後、図４（Ｂ）に示すように新たな取込処理により新たな管理ＩＤ＝５１４００６が発行され、４０００玉の持玉が記録された状態で、全発行処理により発行されている（レコードＮＯ１）。
【００２６】
この図４では、具体的には、ある遊技者が端末ＩＤ＝００２→３６９→２７５の順で２回遊技移動して計３台の遊技台１を遊技した時点で１７０００玉の持玉を獲得した状態において、その遊技者が例えば離席した隙に、他者（以下、犯人と称する）が全発行処理にて持玉券２７を発行し、その犯人が端末ＩＤ＝５１４の遊技台１にて自身の口座（例えば、住所等の会員情報を偽る等して会員登録を行い、その会員登録にて得た会員カードに対応する口座）に盗難した持玉を対応付けたケースを想定している。
【００２７】
この場合、盗難に気付いた遊技者が持玉券２７が盗難された旨を遊技場の従業員に届け出ると、遊技場の管理者は、上記したように盗難に遭った端末ＩＤなどから盗難にあった持玉券２７の持玉券ＩＤを特定する。図４の場合、持玉券ＩＤ＝００３９１の持玉券２７が盗難され、従来であれば盗難登録対象となるレコード（即ち、図４（Ｂ）のレコードＮＯ１）を識別表示することで示している（図４（Ｂ）では、ハッチングにて模式的に示している）。
【００２８】
さて、持玉券ＩＤ＝００３９１の持玉券２７は確かに盗難されたものであるものの、その持玉券２７を現時点で所有している遊技者が犯人であるとは限らない。例えば、犯人が貯玉処理のために利用した各台計数機３に対応する遊技台１（端末ＩＤ＝５１４）においてたまたま遊技した善意の第三者の遊技者（盗難とは無関係の遊技者）が、自身が獲得した玉を計数し、持玉を正規に発行した（図４（Ｂ）のレコードＮＯ１）だけであること等が考えられる。その場合、持玉券２７を発行した遊技者の持玉は、正規に獲得したものであり、盗難とは無関係であるにも関わらず、盗難された持玉券２７に対応付けられてしまう。その場合、盗難された持玉券２７を所有している遊技者を犯人として特定してしまうと、上記したようなトラブルが発生し得る。即ち、この場合であれば共有管理ＩＤ＝１２３４１２３４５を盗難登録対象とすべきである。
【００２９】
次に、図５の処理履歴の場合、図５（Ａ）に示すように、犯人は、まず端末ＩＤ＝３５２の遊技台１（持玉＝９０００玉）において全発行処理（持玉の盗難）を行っている（レコードＮＯ１）。この時点では、盗難された持玉は、持玉券ＩＤ＝０１６５４の持玉券２７に対応付けられている。その後、犯人は、端末ＩＤ＝１５４の遊技台１に対応する各台計数機３にて１００玉を分割発行した後（レコードＮＯ２）、引き続き８９００玉を全発行処理にて発行している（レコードＮＯ３）。つまり、犯人は、レコードＮＯ２において盗難した持玉券２７（持玉券ＩＤ＝０１６５４）に少量の玉を対応付けて分割発行することで、持玉券ＩＤの異なる新たな持玉券２７（持玉券ＩＤ＝００７５４）を各台計数機３にて受付状態とさせ、レコードＮＯ３において新たな持玉券２７に残りの８９００玉を対応付けている。この時点で、分割発行された持玉券２７（持玉券ＩＤ＝０１６５４）と、新たに発行された持玉券２７（持玉券ＩＤ＝００７５４）の２枚を犯人が所持した状態になる。
【００３０】
そして、図５（Ｂ）に示すように、犯人は、２枚の持玉券２７の内、分割発行した持玉券２７を各台計数機３に挿入し１００玉の払出しを行っている（レコードＮＯ２）。尚、レコードＮＯ１には、当該持玉券２７に関連する処理、具体的には、図５（Ａ）のレコードＮＯ２の分割発行処理に対応した分割発行が記憶されている。１００玉の払出しにより、持玉券ＩＤ＝０１６５４の持玉券２７は、対応付けられている持玉が０になったことから、回収処理によって回収される。この時点では、払出された玉は、遊技台１の上部受皿１５に残っている。その後、犯人は、図５（Ａ）のレコードＮＯ３にて発行した新たな持玉券２７を各台計数機３に挿入して受付状態とし、払出された１００玉を再度計数した後、計９０００玉の持玉を全発行している（レコードＮＯ４）。この結果、盗難された持玉９０００玉は、盗難時の持玉券２７との対応付けが解消され、盗難時の持玉券２７とは異なる持玉券ＩＤが記録された新たな持玉券２７に対応付けられることになる。
【００３１】
この状態で遊技者が盗難に気付いて届け出を行うと、盗難された持玉券２７、即ち、回収された持玉券２７（持玉券ＩＤ＝０１６５４）が盗難された持玉券２７であると判定され、図５（Ｃ）に示すようにたまたま対応する遊技台１にて遊技を行った善意の第三者の遊技者が獲得した持玉が盗難された持玉券２７に対応付けて発行されることになり、トラブルが発生し得る。即ち、この場合は管理ＩＤ＝３５２００１に対して盗難登録すべきである。また、特に図示しないが、分割発行した方の持玉券２７に多数の持玉が対応付けられた場合には、持玉券ＩＤ＝０１６５４、或いは共有管理ＩＤ＝１５４００５に対して盗難登録すべきである。
【００３２】
尚、図４及び図５並びに後述する図９では、基本的には図３と同じデータを記憶しているが、払戻し以外の貯玉や景品交換等に使用された玉を含む表現として、「払戻玉」の代わりに「使用玉」としている。また、各図では遊技移動と判定した場合を二重線にて区切っているが、前のレコード（過去のレコードの内、同じ端末ＩＤである最新のレコード）の事象が分割発行である場合には、遊技移動でなくとも二重線にて区切るものとする。また、「持玉」の項は、分先発行のみ分割玉を加算（受付持玉＋計数玉−使用玉＋分割玉）する。また、共有管理ＩＤには、貯玉処理の場合には上記したように貯玉口座に対応する会員ＩＤが記憶され、分割発行の場合には分割先の管理ＩＤが記憶される。
【００３３】
つまり、遊技場用システム１００では、発行処理が行われた場合には、持玉券ＩＤ（第１の識別情報）とは異なる管理ＩＤ（第２の識別情報）を発行し、当該発行した管理ＩＤと対応する持玉券２７に記録される持玉券ＩＤとを対応付けて管理している。また、受付処理後に全発行処理が行われた場合には、その発行対象となった持玉券２７の持玉券ＩＤと受付処理時に対応付けていた管理ＩＤとを対応付ける一方、分割発行処理が行われた場合には、受付処理時に対応付けていた管理ＩＤとは異なる共有管理ＩＤを新たに発行して、その発行対象となった持玉券２７に記録されている持玉券ＩＤと対応付けて管理している。
【００３４】
さて、本実施形態の管理装置５は、上記したトラブルを防止するため、以下のように盗難登録処理を抑制する。
管理装置５は、遊技者の遊技の進行に応じて上記したように遊技情報を集計すると共に、本発明に関連して、図６に示すように、全ての持玉券２７について、持玉券事象履歴（処理履歴に相当する）を管理装置記憶領域に記憶している。つまり、管理装置５は、前述した遊技変換処理、発行処理、回収処理及び会員処理の内、少なくとも１つの処理である事象処理に応じた所有価値と、その対応する持玉券２７とを特定可能な処理履歴を管理している。本実施形態の場合、管理装置５は、「全発行（全発行処理）」、「分割発行（分割発行処理、尚、分割先は分先発行が記憶される）」、「持玉０（持玉を払出すことにより持玉０となること）」、「貯玉（貯玉処理）」が発生した場合に、遊技台１側の装置から各データを特定可能な事象情報（遊技信号）が送信され、その受信に応じてレコードを作成して更新する。尚、再プレイ処理に応じて事象情報を送信し、レコードを作成する等しても良く、例示したいずれか１つを含めば、どのように持玉券事象履歴を更新しても良い。
【００３５】
この図６に示すデータは、例えばモニタ６に表示出力されており、キーボード７等からの管理者の操作（盗難登録操作）、例えばマウスによる管理ＩＤ、端末ＩＤ、事象等の項目の選択操作や数値入力により直接的に端末ＩＤや持玉券ＩＤ等を指定する操作、或いは、指定値以上の受付持玉、計数玉等の検索条件の設定等の操作が入力されることで、その条件に見合う事象履歴を抽出して出力する。例えば管理ＩＤとして「００２００１」を検索条件とすると、図４のように抽出結果が表示（或いは印字）される。この図４の状態でも、上記した管理者による選択や条件設定の操作は入力可能である。尚、持玉券事象履歴には、例えば遊技台１の機種名や時刻等を対応付けて記憶しても良い。
【００３６】
さて、遊技者から盗難の届け出があると、管理者は、遊技者が遊技していた遊技台１の端末ＩＤ（この場合、例えば端末ＩＤ＝２７５）等に基づいて、盗難にあった持玉券２７の管理ＩＤ、持玉券ＩＤ、共有管理ＩＤのいずれかを特定し、図７に示すように該当する項目を選択する選択操作（「盗難されたと推測される前記発行処理に対応した処理履歴の指定操作」に対応する）を入力する。図７の場合、持玉券ＩＤ＝００３９１が選択されている状態をハッチングにて模式的に示している。管理装置５は、選択操作が入力されると、選択された持玉券２７を盗難登録するか否かを確認する選択ポップメニューＭ１を表示する。この選択ポップメニューＭ１には、「１．盗難登録」、「２．利用確認」の選択肢が表示され、管理者は、いずれかを選択する。
【００３７】
管理装置５は、管理者が「１．盗難登録」を選択すると、該当する持玉券ＩＤの事象履歴を検索し、選択したレコード以降の履歴即ち盗難後の履歴に持玉が０になったレコードがあるか否かを判定する。つまり、管理装置５は、盗難登録操作の受付けに応じて、指定操作により指定された処理履歴以降の事象履歴（処理履歴）において、その盗難登録処理対象となる持玉券２７に対応した持玉が、予め設定される消尽基準値に達している事象履歴の有無を検索し、持玉が無くなったことを特定する判定処理を実行する。一方、管理装置５は、持玉が無くなったレコードが無い場合（持玉が無くなったことを特定できなかった場合）には、後述する警告表示メッセージ（図８参照）を伴うことなく選択釦（図８参照）を表示して、管理者の選択を受付ける。
【００３８】
一方、管理装置５は、持玉が無くなったレコードがある場合（持玉が無くなったことを特定した場合）には、図８に示す確認ポップメニューＭ２を表示する。この場合、確認ポップメニューＭ２には、「この後に端末ＩＤ５１４にて一度回収されていますが、盗難登録を行いますか？」の警告表示メッセージと共に、選択釦（「登録」釦、「確認」釦及び「キャンセル」釦）が表示され、管理者の選択を受付ける。つまり、管理装置５は、判定処理の判定結果に応じて、盗難登録処理を抑制する。
【００３９】
管理装置５は、「登録」釦が操作されると、当該持玉券２７を盗難登録し、以降の各台計数機３等による受付や景品交換等を禁止する（所有価値の使用を抑制する）。
一方、管理装置５は、「確認」釦が操作されると、図９に示す持玉券確認履歴を表示することで、選択された持玉券２７の使用履歴を表示する。尚、図９では、図７で選択されたレコード（図７のレコードＮＯ６８５に対応するレコード）をハッチングにて示している（図９のレコードＮＯ３）。この図９には、レコードＮＯ３より以降において、端末ＩＤ＝５１４に対応する各台計数機３にて全ての持玉を対象とした貯玉が行われていること（レコードＮＯ４）、貯玉の後で同じ計数機にて全発行処理が行われていること（レコードＮＯ５）、及び、その持玉券２７が現在は端末ＩＤ＝３３３の遊技台１に対応する各台計数機３にて受け付けられていることが示されている。尚、図９には、その持玉券２７の現時点の状況、即ち、事象処理は行われていなのでレコードは記録されていないものの参考データとして「現在」のデータが示されている。
【００４０】
管理者は、この図９から、持玉券ＩＤ＝００３９１の持玉券２７が盗難後に貯玉処理が行われ回収されていること、即ち、現時点では持玉券ＩＤ＝００３９１の持玉券２７は盗難にあった持玉に対応付けられていないことを認識出来る。その状況を認識した管理者は、図９の画面から図示しない「戻る」釦等を操作して図８の画面に戻り、「キャンセル」釦を操作することにより、盗難登録をキャンセルする。このとき、管理装置５は、「キャンセル」釦が操作されたことから、盗難登録処理を実行しない（盗難登録処理を抑制する）。
【００４１】
これに対して、図８にて管理者が選択したレコード以降の事象履歴に持玉が無くなったレコードが記憶されていない場合、例えば、盗難後に他の各台計数機３に対応する遊技台１にて使用中である場合などには、「登録」釦を操作することにより、盗難登録を行うことができる。これにより、上記したように、各台計数機３における「受付」や、ＰＯＳ端末における「景品交換」等を禁止することで持玉券２７の使用が抑制される。
【００４２】
このように、遊技場用システム１００は、盗難後に持玉が０になっているか否か（所有価値が無くなったことを示す消尽基準値に達しているかを判定した判定結果）に応じて、盗難された持玉券２７が現時点では盗難とは無関係の善意の第三者の遊技者により使用されていると判断した場合、盗難登録を抑制することで善意の第三者の遊技者に盗難の疑いが掛かることを防止し、無用なトラブルを防止出来る。尚、図５の処理履歴が想定される盗難状況においても、同様に不必要或いは無用なトラブルを防止出来る。
【００４３】
尚、図９の状態から「戻る」釦で図８の表示に戻ったとしたが、遊技場用システム１００では、図９の表示のまま「持玉券ＩＤ」或いは「管理ＩＤ」を選択すると、図７と同様に盗難登録が可能となっている。また、管理ＩＤではなく、共有管理ＩＤ（図４のレコードＮＯ４で犯人が貯玉したと推測される会員ＩＤ）についても同様に盗難登録や利用確認が可能である。つまり、遊技場用システム１００では、貯玉処理（会員処理）により持玉券２７に対応した持玉が０になることで盗難登録処理を抑制した場合、その貯玉処理に対応する会員ＩＤ（会員識別情報）を抽出して表示（出力）し、その会員ＩＤに対応付けられた持玉（貯玉された持玉）の使用を抑制する盗難登録処理を行うための盗難登録操作も受付け可能となっている。これにより、盗難された持玉が盗難時の持玉券２７から会員ＩＤに対応する貯玉口座へと移行したか否かを容易に判断出来、対応する貯玉口座へと移行した場合であっても共有管理ＩＤ（この場合、会員ＩＤ）について盗難登録を行うことが出来る。尚、共有管理ＩＤに基づいて盗難登録操作を行う場合を考慮し、例えば図９のような態様にて共有管理ＩＤ毎の事象履歴も表示される。これにより、盗難登録操作の作業を容易に行うことが出来る。
【００４４】
以上説明した遊技場用システム１００によれば、次のような効果を得ることが出来る。
遊技場用システム１００は、盗難登録処理を行う際に、記録媒体のＩＤを指定することによって盗難登録操作を受け付け、盗難された記録媒体に対応した所有価値が予め設定されている消尽基準値に達して当該所有価値が無くなっているかを判定し、その判定結果に応じて盗難登録処理を抑制するので、例えば所有価値が無くなった場合には当該記録媒体に対する盗難登録処理を抑制することが可能となり、上記した善意の第三者の遊技者が犯人扱いされる等、抑制対象となる記録媒体を使用不能とする際に発生し得る無用なトラブルを防止出来る。
【００４５】
また、図８に示したような警告表示メッセージを表示することにより盗難登録処理を抑制するため、登録する必要が無い記録媒体を誤って盗難登録してしまうおそれが低減される。これにより、誤った登録によって善意の第三者の遊技者を犯人扱いしてしまうこと等が防止され、抑制対象となる記録媒体を使用不能とする際に発生し得る無用なトラブルを防止出来る。
また、実施形態のように、盗難登録処理を行う際に、盗難された持玉券２７（記録媒体）に対応した持玉（所有価値）が予め設定されている消尽基準値に達しているか（持玉が無くなっているか）を判定し、その判定結果に応じて盗難登録処理を抑制するので、例えば盗難された持玉券２７に対応する持玉が無くなった場合には、当該持玉券２７に対する盗難登録処理を抑制することが可能となる。これにより、盗難とは無関係の善意の第三者の遊技者を犯人扱いすること等が抑制される。したがって、抑制対象となる持玉券２７を使用不能や景品交換不能等とする際に発生し得る無用なトラブルを防止出来る。
【００４６】
管理装置５は、事象処理を行った際における持玉とその対応する持玉券２７とを特定可能な処理履歴を管理しており、盗難登録操作の受付けに応じて盗難登録処理対象となる持玉券２７に対応した処理履歴において持玉が０になったレコードの有無を検索するので、例えば善意の第三者の遊技者が遊技を行って持玉を持玉券２７に記録（持玉券２７を発行）した後で当該持玉券２７に対して盗難登録処理が行われたような場合に、過去に持玉が０になった処理履歴があれば盗難登録処理を抑制することが可能となり、上記したトラブルを防止出来る。
【００４７】
盗難登録操作として、処理履歴の内、盗難されたと推測される発行処理に対応した処理履歴の指定操作を行い、盗難登録操作の受付けに応じて判定処理を行う場合に、指定操作により指定された処理履歴以降の処理履歴において持玉が０になった処理履歴の有無を検索するので、不必要な抑制処理が行われる虞を解消出来る。また、例えば盗難される以前に既に持玉が無くなっていた場合にも、無用な抑制処理が行われる虞を解消出来る。
貯玉処理（会員処理）が行われることで持玉券２７に対応する持玉が０になった場合に、その貯玉処理に対応する会員ＩＤを抽出し、その会員ＩＤに対応付けられた持玉の使用を抑制する盗難登録処理を行うための盗難登録操作を受付け可能であるので、犯人が貯玉処理により持玉を自身の貯玉口座に移行した場合であっても、その所有価値の使用を抑制出来、効率的な盗難登録処理が可能となる。
【００４８】
分割発行処理が行われた場合には、受付処理時に対応付けていた管理ＩＤとは異なる共有管理ＩＤを発行して、共有管理ＩＤを発行対象となった持玉券２７に記録されている持玉券ＩＤと対応付けて管理すると共に、盗難登録操作において持玉券ＩＤ及び共有管理ＩＤを選択的に指定可能とする。遊技者の利便性を考慮して全発行処理と分割発行処理とを採用すると、分割発行処理を利用して犯人が持玉を盗難登録対象となる持玉券２７とは異なる新たな持玉券２７へと移行することが想定されるが、分割先の持玉券２７の持玉券ＩＤと共有管理ＩＤとを対応付けることにより、更に、持玉券ＩＤと共有管理ＩＤとを選択的に盗難登録対象として指定可能とすることにより、持玉券２７を入れ替える目的で分割発行を利用した犯人の行動に柔軟に対応出来る。
【００４９】
（その他の実施形態）
本発明は、上記した一実施形態に限定されることなく、次のように変形または拡張できる。
盗難登録する際に盗難されたレコードを指定して行ったが、レコードを指定せず持玉券ＩＤや管理ＩＤを指定するだけで盗難登録を行っても良く、この場合、現在の持玉が０（現在回収中）であるか、或いは指定された各台計数機３を除いた他の端末にて持玉が０となったか（回収されたことがあるか）を検索条件として検索し、その結果を示しても良い。
盗難登録する場合、検索後に図８のように盗難登録確認を行い、警告表示メッセージを表示することで使用を抑制可能としたが、回収された場合に盗難登録を禁止することで使用を抑制しても良い。また、盗難登録として「受付」や「景品交換」の使用抑制を例示したが例えば再プレイや発行を禁止する等、例示した以外の処理を使用の抑制対象としても良い。
【００５０】
図６から図９の事象履歴は数日間を記録期間とし、その期間内を対象として表示可能としても良い。また、盗難登録等の操作履歴を別途記憶し、検索可能に構成しても良い。
盗難登録を管理装置５にて行うことを例示したが、例えば各台計数機３など遊技台１側の装置にて従業員が携帯するリモコン等による操作を受付けて最新の発行処理対象の持玉券２７の盗難登録を行う場合に、回収されたかを検索して盗難登録を抑制しても良い。即ち、盗難登録処理を行う際に、盗難登録操作を台間装置側にて受け付け、盗難された記録媒体に対応した所有価値が予め設定されている消尽基準値に達して当該所有価値が無くなっているかを判定し、その判定結果に応じて盗難登録処理を抑制するので、例えば所有価値が無くなった場合には当該記録媒体に対する盗難登録処理を抑制することが可能となり、上記した善意の第三者の遊技者が犯人扱いされる等、抑制対象となる記録媒体を使用不能とする際に発生し得る無用なトラブルを防止出来る。
【００５１】
また、事象履歴を記憶せず、持玉券ＩＤ等に対して回収処理が実行されたか否かを対応付けて記憶し、回収処理が行われていれば盗難登録処理を抑制する構成としても良い。
持玉券２７を回収する場合、受付処理に応じて持玉券２７を回収すると共に持玉券２７と持玉との対応付けを一端解消し、その後の発行処理時に新たな対応付けを行う構成も想定出来るが、この場合も同様に持玉券２７を受け付けてから持玉０になったかを判定すれば良い。尚、一実施形態では初期化持玉値（消尽基準値）として０を採用し、０となった場合に持玉が無くなったと判定したが、０以外の数値、例えば１０等の数値により無くなったと見做しても良い値を初期化持玉値として採用しても良い。
【００５２】
記録媒体として持玉券２７を例示し、その発行及び回収を行う台間装置として各台計数機３を例示したが、記録媒体として残高券を対象とし、計数機能を持たない貸出機２による残高券の発行及び回収を対象として事象履歴を記憶し、残高券の盗難処理を対策するようにしても良い。この場合、残高券の発行時に、残高券ＩＤと、管理ＩＤのような第２の識別情報とを対応付けて管理すれば良い。つまり、貸出機２を台間装置として採用し、貸出機２に取込手段、遊技変換手段、発行手段、受付手段、回収手段を設けても良い。この場合、各残高券に固有で記録されている残高券ＩＤが第１の識別情報に相当し、貨幣の受付処理が計数処理により例示した取込処理に相当し、受付処理にて受付けられた貨幣が持玉にて例示した所有価値に相当し、貨幣を対価として玉を貸出す貸出処理が再遊技処理により例示した遊技変換処理に相当し、受付けた貨幣の内、貸出処理の対価となった残りの貨幣を会員カードに対応付ける処理が貯玉処理により例示した会員処理に相当することになる。更に分割発行処理としては受付けた貨幣の一部を発行対象とすることが想定される。
【００５３】
遊技場に関わる規則等により持玉券２７等に持玉等を記録させられないこともあるので、管理装置５側にて持玉券２７と持玉とを対応付けて管理し、図６等のように記憶しているデータに基づいて持玉を特定しても良い。即ち、持玉を特定可能であれば必ずしも持玉券２７に直接持玉を記録しなくとも良い。
管理ＩＤの代わりに、持玉券ＩＤにより図６等を管理しても勿論良い。また、持玉券２７はカード状の記録媒体だけでなく、例えばコイン型の記録媒体等であっても良い。同様に会員ＩＤについても例えば指紋等の生体認証により特定する等どの様に特定しても良い。
例示した全ての遊技情報は、入力された遊技信号により直接的に特定しても良いし、演算式を利用して間接的に特定しても良い。また、数値、桁数、項目等は例示であり、どのような数値を採用しても良い。
【００５４】
対象となる遊技台１としては遊技媒体をデータのみで管理する所謂封入式等の例示したパチンコ遊技機以外のパチンコ遊技機やスロットマシン等も採用できる。尚、封入式を考慮して、遊技媒体を必要に応じて遊技価値と表現している。
管理装置５が行う情報処理の一部を各台計数機３等の遊技台１側の装置や中継装置４等にて行う構成としても良い。同様に遊技台１側の装置が行う処理の一部を中継装置４や管理装置５等にて行っても良い。また、変形例を含む例示した構成をどのように組合わせても良い。
管理ＩＤを持玉が０となった場合に持玉券２７との対応付けを解消することを例示したが、持玉が０になった場合に対応付けを解消することなく継続して管理ＩＤを用いても良い。
【００５５】
また、本明細書には、以下の発明が記載されている。
遊技者が遊技により獲得した遊技価値、或いは貨幣を取込み、取込んだ遊技価値、或いは貨幣を遊技者の所有価値として特定する取込処理を行う取込手段と、前記所有価値を遊技に使用可能な状態へと変換する遊技変換処理を行う遊技変換手段と、前記所有価値を特定可能な記録媒体を発行する発行処理を行う発行手段と、前記記録媒体を受付け、当該受付けた記録媒体により特定される所有価値を、対応する遊技台を遊技する遊技者の所有価値とする受付処理を行う受付手段と、受付処理により受付けられた記録媒体を回収する回収処理を行う回収手段と、を１の遊技台に対応して設けた遊技場用システムであって、前記記録媒体が前記発行処理により盗難された場合に、当該記録媒体により特定される前記所有価値の使用を抑制する盗難登録処理を行うための盗難登録操作を受付け、当該盗難登録操作に応じて盗難登録処理を行う盗難登録手段と、前記所有価値と、その対応する前記記録媒体とを特定可能に管理する管理手段と、前記盗難登録操作の受付けに応じて、その盗難登録処理対象となる記録媒体に対応した所有価値が、前記所有価値に対して予め設定される所有価値が無くなったことを示す消尽基準値に達しているかを判定し、その判定結果により当該所有価値が無くなったことを特定する判定処理を行う判定手段と、前記判定処理の判定結果に応じて前記盗難登録処理を抑制する抑制手段と、を備えたことを特徴とする遊技場用システム。
【００５６】
この発明によれば、盗難登録処理を行う際に、盗難された記録媒体に対応した所有価値が予め設定されている消尽基準値に達して当該所有価値が無くなっているかを判定し、その判定結果に応じて盗難登録処理を抑制するので、例えば所有価値が無くなった場合には当該記録媒体に対する盗難登録処理を抑制することが可能となり、上記した善意の第三者の遊技者が犯人扱いされる等、抑制対象となる記録媒体を使用不能とする際に発生し得る無用なトラブルを防止出来る。
【００５７】
前記管理手段は、前記遊技変換処理、前記発行処理、及び前記回収処理の内、少なくとも１つの処理である事象処理に応じた前記所有価値と、その対応する前記記録媒体とを特定可能な処理履歴を管理し、前記判定手段は、前記盗難登録操作の受付けに応じて、その盗難登録処理対象となる記録媒体に対応した前記処理履歴において、前記消尽基準値に前記所有価値が達した前記処理履歴の有無を検索することで前記判定処理を行うことを特徴とする遊技場用システム。
【００５８】
この発明によれば、管理手段は、事象処理を行った際における所有価値とその対応する記録媒体とを特定可能な処理履歴を管理しており、判定手段は、盗難登録操作の受付けに応じて、盗難登録処理対象となる記録媒体に対応した処理履歴において消尽基準値に達した処理履歴の有無を検索するので、当該記録媒体に対応する所有価値が無くなった処理履歴が記録されているか否かが過去に遡って検索される。これにより、例えば善意の第三者の遊技者が遊技を行って獲得媒体を記録媒体に記録した後で当該記録媒体に対して盗難登録処理が行われたような場合に、過去に所有価値が無くなった処理履歴があれば盗難登録処理を抑制することが可能となり、上記したトラブルを防止出来る。
【００５９】
前記管理手段は、少なくとも前記発行処理に対応した処理履歴を管理し、前記盗難登録操作は、前記処理履歴の内、盗難されたと推測される前記発行処理に対応した処理履歴の指定操作を含み、前記判定手段は、前記盗難登録操作の受付けに応じて前記判定処理を行う場合に、前記指定操作により指定された処理履歴以降の処理履歴において、前記消尽基準値に前記所有価値が達した前記処理履歴の有無を検索することを特徴とする遊技場用システム。
【００６０】
この発明によれば、例えば盗難される以前に既に所有価値が無くなっていた場合には無用な抑制処理が行われる虞があるものの、判定手段は、判定処理を行う場合に指定操作により指定された処理履歴以降の処理履歴において消尽基準値に所有価値が達した処理履歴の有無を検索するので、その虞を解消出来る。
【００６１】
遊技場の会員となった遊技者を識別するための会員識別情報を受付け、前記所有価値を前記会員識別情報に対応付ける会員処理を行う会員処理手段を１の遊技台に対応して設け、前記管理手段は、少なくとも前記会員処理に対応した処理履歴を管理し、その会員処理に対応した処理履歴として、当該会員処理の対象となった前記所有価値と、前記会員識別情報とを特定可能に管理し、前記判定手段は、前記記録媒体に対応する処理履歴として、前記会員処理に対応した処理履歴があると共に、その会員処理により前記記録媒体に対応した前記所有価値が前記消尽基準値に達した処理履歴がある場合に、当該所有価値が無くなったことを特定し、前記盗難登録手段は、前記会員処理により前記記録媒体に対応した前記所有価値が前記消尽基準値に達することで、前記抑制手段により前記盗難登録処理が抑制された場合に、その会員処理に対応する前記会員識別情報を抽出して出力し、その会員識別情報に対応付けられた所有価値の使用を抑制する盗難登録処理を行うための盗難登録操作を受付け可能であることを特徴とする遊技場用システム。
【００６２】
この発明によれば、例えば所謂貯玉処理のような会員処理が行われることで記録媒体に対応する所有価値が無くなった場合に、その会員処理に対応する会員識別情報を抽出し、その会員識別情報に対応付けられた所有価値の使用を抑制する盗難登録処理を行うための盗難登録操作を受付け可能であるので、犯人が会員処理により所有価値を移行した場合であっても、その所有価値の使用を抑制出来、効率的な盗難登録処理が可能となる。
【００６３】
前記記録媒体には当該記録媒体を識別するための第１の識別情報が予め記録され、前記発行処理は、前記所有価値の全てを発行対象とする全発行処理と、前記所有価値の一部を発行対象とする分割発行処理とに区分けされ、前記管理手段は、前記取込処理、或いは前記発行処理により成立する予め設定されるＩＤ発行条件が成立した場合に、前記記録媒体に対して前記第１の識別情報とは異なる第２の識別情報を発行し、当該発行した第２の識別情報と対応する記録媒体に記録される第１の識別情報とを対応付けて管理し、前記受付手段による受付処理後に、当該受付手段に対応した遊技台に対応する発行手段により前記全発行処理が行われた場合には、その発行対象となった記録媒体に記録される前記第１の識別情報と前記受付処理時に対応付けていた前記第２の識別情報とを対応付ける一方、前記分割発行処理が行われた場合には、前記受付処理時に対応付けていた前記第２の識別情報とは異なる前記第２の識別情報を新たに発行して、その発行対象となった記録媒体に記録されている前記第１の識別情報と対応付けて管理し、前記盗難登録操作は、前記第１の識別情報、及び前記第２の識別情報を選択的に指定可能とすることを特徴とする遊技場用システム。
【００６４】
この発明によれば、分割発行処理が行われた場合には、受付処理時に対応付けていた第２の識別情報とは異なる新たな第２の識別情報を発行して、当該新たな第２の識別情報を発行対象となった記録媒体に記録されている第１の識別情報と対応付けて管理すると共に、盗難登録操作において第１の識別情報及び第２の識別情報を選択的に指定可能とする。これにより、遊技者の利便性を考慮して全発行処理と分割発行処理とを採用した場合、分割発行処理を利用して犯人が所有価値を盗難登録対象となる記録媒体とは異なる新たな記録媒体へと移行することが想定されるが、分割発行した場合に、分割先の記録媒体には第１の識別情報が記録されており、分割元の記録媒体には第２の識別情報が対応付けられることになり、更に、識別情報を選択的に盗難登録対象として指定可能とすることで、分割発行を利用した犯人の行動に柔軟に対応出来る。
【符号の説明】
【００６５】
図面中、１は遊技台、２は貸出装置（取込手段、遊技変換手段、発行手段、受付手段、回収手段）、３は各台計数機（台間装置、取込手段、遊技変換手段、発行手段、受付手段、回収手段）、５は管理装置（盗難登録手段、管理手段、判定手段、抑制手段）、２７は持玉券（記録媒体）、１００は遊技場用システムを示す。
【図１】
0005978370.tif 000002
【図２】
0005978370.tif 000003
【図３】
0005978370.tif 000004
【図４】
0005978370.tif 000005
【図５】
0005978370.tif 000006
【図６】
0005978370.tif 000007
【図７】
0005978370.tif 000008
【図８】
0005978370.tif 000009
【図９】
0005978370.tif 000010